(57)【特許請求の範囲】
【請求項１】
複数のボルト取付具、ボルトまたは取付部品を含むファイバー補強された構造要素であって別の構造要素に対する取り付けのための構造要素の製造方法において、
ｉ）上記ファイバー補強された構造要素と親和性を有するファイバー補強材料の細長のコアー要素であって、引き抜きにより作られ、上記ボルト取付具、ボルトまたは取付部品のひとつの装着または固定のための端部を備えるコアー要素を供給し、
ｉｉ）サブアセンブリーを製造するために上記ボルト取付具、ボルトまたは取付部品のひとつを上記コアー要素の上記端部上に装着し、
ｉｉｉ）引き抜き工程において、上記サブアセンブリーを引き抜き成形機を通して引き、上記サブアセンブリーの外周を補強ファイバーおよび樹脂で覆い、そして、該樹脂が該補強ファイバーと共に上記サブアセンブリーの外周を囲むケーシングを提供するように樹脂を加熱しかつ加硫することにより、上記ボルト取付具、ボルトまたは取付部品のひとつを上記コアー要素の上記端部に固着し、または、代わりに、上記サブアセンブリーを別の引き抜き工程で製造されたケーシングに対して接着することにより固着し、そして、
ｉｖ）上記コアー要素および上記ボルト取付具、上記ボルト、または上記取付部品および上記コアー要素、を含む、ボルト取付具アセンブリー、ボルトアセンブリー、または取付部品アセンブリーを供給するために、上記補強ファイバーおよび上記加硫された樹脂の上記ケーシング内で外周が囲まれた上記サブアセンブリーを加工し、
ｖ）複数の上記ボルト取付具、ボルトアセンブリーまたは取付部品アセンブリーを製造するために上記ステップｉ）−ｉｖ）を繰り返し、
ｖｉ）上記の最終的なファイバー補強された構造要素内に、上記複数のボルト取付具、ボルトまたは取付部品の所望の位置により、上記複数のサブアセンブリーを配列し、そして、
ｖｉｉ）上記複数のサブアセンブリーにより構成される上記複数のボルト取付具、ボルトまたは取付部品を含む上記ファイバー補強された構造要素を引き抜きで製造するステップを包含している方法。
【請求項２】
上記細長のコアー要素を提供する上記ステップｉ）が、連続した細長のコアー要素ボデーを複数の上記細長のコアー要素に切断するステップを包含している、請求項１に記載の方法。
【請求項３】
上記細長のコアー要素がそれぞれのボルト取付具、ボルトまたは取付部品をそれぞれの端部で受領するためのそれぞれの端部を備え、上記ステップｉｉ）およびｉｉｉ）が上記サブアセンブリーの上記コアー要素の上記それぞれの端部で２個のボルト取付具、ボルトまたは取付部品を装着および固着するステップを包含し、そして、上記ステップｉｖ）が上記補強ファイバーおよび上記加硫された樹脂の上記ケーシング内に外周が囲まれている上記サブアセンブリーを各々がボルト取付具、ボルトまたは取付部品アセンブリーを構成している２個の半体に加工するステップを包含している、請求項１または２の何れかに記載の方法。
【請求項４】
上記ステップｉ）が、更に、上記端部を特定輪郭に加工するステップを包含し、該加工ステップは、上記コアー要素の上記端部の上記特定輪郭と一致する端凹部を有する上記ボルト取付具、ボルトまたは取付部品を受け入れかつセンターリングするためのものである、請求項１−３の何れかに記載の方法。
【請求項５】
上記ケーシングが、ステップｉｉｉ）で、円形、楕円形または多角形の断面輪郭、または代わりに該断面輪郭の組み合わせの如く特定断面輪郭を有するように製造される、請求項１−４の何れかに記載の方法。
【請求項６】
上記ステップｉｖ）が、更に、上記ケーシングを、円形、楕円形または多角形の断面輪郭、または代わりに該断面輪郭の組み合わせの如く特定断面輪郭に製造するステップを包含する、請求項１−５の何れかに記載の方法。
【請求項７】
上記ステップｉｖ）が、上記ボルト取付具またはボルトアセンブリーの長手軸に対して鋭角をなす端面部を有する上記ボルト取付具、ボルトアセンブリーまたは取付部品アセンブリーを提供するステップを包含している、請求項１−６の何れかに記載の方法。
【請求項８】
複数のボルト取付具、ボルトまたは取付部品を含むファイバー補強された構造要素であって別の構造要素に対する取り付けのための構造要素内で使用するためのボルト取付具、ボルトアセンブリーまたは取付部品アセンブリーの製造方法において、
ｉ）上記ファイバー補強された構造要素と親和性を有するファイバー補強材料の細長のコアー要素であって、引き抜きにより作られ、上記ボルト取付具、ボルトまたは取付部品のひとつの装着または固定のための端部を備えるコアー要素を供給し、
ｉｉ）サブアセンブリーを製造するために上記ボルト取付具、ボルトまたは取付部品のひとつを上記コアー要素の上記端部上に装着し、
ｉｉｉ）引き抜き工程において、上記サブアセンブリーを引き抜き成形機を通して引き、上記サブアセンブリーの外周を補強ファイバーおよび樹脂で覆い、そして、該樹脂が該補強ファイバーと共に上記サブアセンブリーの外周を囲むケーシングを提供するように樹脂を加熱しかつ加硫することにより、上記ボルト取付具、ボルトまたは取付部品のひとつを上記コアー要素の上記端部に固着し、または、代わりに、上記サブアセンブリーを別の引き抜き工程で製造されたケーシングに対して接着することにより固着し、そして、
ｉｖ）上記コアー要素および上記ボルト取付具、上記ボルト、または上記取付部品、を含む、ボルト取付具アセンブリー、ボルトアセンブリー、または取付部品アセンブリーを供給するために、上記補強ファイバーおよび上記加硫された樹脂の上記ケーシング内で外周が囲まれた上記サブアセンブリーを加工するステップを包含している方法。
【請求項９】
ボルト取付具、ボルトアセンブリーまたは取付部品アセンブリーを製造する請求項８に記載の方法であって、更に、請求項２−７の何れかによるファイバー補強された構造要素の製造方法の何れかを包含している、方法。
【請求項１０】
上記構造要素を別の構造要素に対して固着するための複数のボルト取付具、ボルトまたは取付部品を備えたファイバー補強された構造要素であって、該ファイバー補強された構造要素が請求項１−７の何れかによる方法で製造されておりかつ請求項８または９の何れかによる方法で製造された複数のボルト取付具、ボルトアセンブリーまたは取付部品アセンブリーを備えているファイバー補強された構造要素。
【請求項１１】
請求項８または９の何れかの方法により製造されたファイバー補強された構造要素内で使用されるボルト取付具、ボルトアセンブリーまたは取付部品アセンブリー。
【発明の詳細な説明】
【技術分野】
【０００１】
本発明は、一般に、ファイバー補強された大きい構造要素の製造技術、特にボルト取付具またはボルトをファイバー補強構造要素内に固着する技術に関する。
【０００２】
これに関連して、ファイバー補強構造要素なる用語は、ファイバー補強された樹脂またはプラスチックベースの材料で作られガラス繊維（ファイバー）、カーボンファイバーまたはケブラーファイバーのようなファイバー手段によりファイバー補強され、ポリエステル、ビニールエステル、フェノールまたはエポキシのような樹脂材料から製造された補強構造要素の如何なる構造要素をも包含する一般的用語として解釈される。更に構造要素はそれ自体内に負荷搬送要素または支持要素を構成し、上記要素としてはビルディング構造の要素、前面要素、橋、風車の構成要素、デッキ部品のような船の構成要素が例示される。
【０００３】
これに関連して、ボルト取付具、ボルトおよび取付部品は後述する如何なる要素をも包含する一般的用語として解釈されるべきであり、上記要素としてはボルト、ボルトの軸、ナット、フック、外ねじ付きピン、例えば押圧取付またはスナップ取付の閉塞要素などの拘束要素で例えば構造要素の固着のための一致するまたは掛け合わされる固着要素のような別の固着要素と協働する目的を果たすものであってボルト取付具、ボルトまたは取付部品を支持し、または内ねじまたは異様に形成されたボデーを含みボルトのねじ部を受け入れるためのねじ部または内ねじを含む取付部品が例示される。
【背景技術】
【０００４】
工業分野ではファイバー補強構造要素の使用がこの数１０年間に急速に増加し、これはそのような要素の風車業界内での使用成功に基本的に鼓舞されたことに起因している。風車の羽根のような風車部品から離れても、ファイバー補強構造要素は家屋建設工業および造船工業内、および従来は金属構造が使用されていた或る技術分野内においては成功を収めてきた。化学工業または亜鉛めっきおよび亜鉛被覆工業内の例としては、従来の金属構造は過度の腐食により寿命が極めて短くなるのに対して、コンテナー、階段、支持要素などを含むファイバー補強構造要素は実質的に劣化または腐食されることなく腐食性雰囲気への晒しに耐え得る。
【０００５】
構造要素および各種部品の構造要素内への固着技術は下記の特許出願および特許内に記述されておりこれらの米国特許は関連資料として本出願内に組み込まれる。関連資料は、ＥＰ０１７０８８６、ＵＳ４，８９２，４６２、ＵＳ４，３３９，２３０、ＵＳ４，２７８，４０１、ＦＲ２７５８５９４、ＦＲ２６７０９５６、ＵＳ５，６６４，８２０、ＵＳ３，３７２，０７３、ＧＢ２１１９４７２およびＤＥ１９６２５４２６を包含している。
【０００６】
ボルト取付具、ボルトおよび／または取付部品をファイバー補強要素内に埋め込む技術は、特に、ボルト取付具、ボルトまたは取付部品の好適なかつ正確な配置に関して或る問題を強要することが出願人会社により分かってきた。従来の技術は製造工程中に加工され、押し出されまたは引き抜かれるべきファイバー補強構造要素内にボルト取付具、ボルトまたは取付部品の簡単な位置決め機構を備えてはいるが、この従来のかつ簡単な技術は製造中に必要とする正確さでボルト取付具、ボルトまたは取付部品を位置決めすることを許容できずかつ構造要素の製造のためにはファイバー補強技術の更なる商業的開発が要求されることが出願人会社により分かってきた。
【発明の開示】
【発明が解決しようとする課題】
【０００７】
本発明のひとつの目的は、ファイバー補強構造要素内に予め定められた位置または配置でボルト、ボルト取付具または取付部品を簡単かつ正確な位置決めを許容する新規な技術を提供することである。上記の正確さは、家建設、船建設および風車工業を含む工業内で受け入れ得るものであり、例えば特定ボルト、ボルト取付具または取付部品の位置の精度は、＋／−１ｍｍ、または＋／−０．５ｍｍより低い変動である。
【０００８】
本発明による新規な技術がボルト取付具、ボルトまたは取付部品を通してファイバー補強構造要素に対する力および衝撃の改良された伝達を提供することは、本発明のひとつの特徴であり、これによりファイバー補強構造のサイズの減少を許容し、即ちファイバー補強構造の重さを減じまたは代わりにファイバー補強構造要素の材料を減ずる。
【０００９】
本発明による方法および技術がボルト取付具、ボルトまたは取付部品がソリッドかつ高負荷ケーシング内のファイバー補強構造要素内の特定位置に配置されかつ固定されることを許容することは本発明の更なる特徴である。
【００１０】
本発明の特別な利点は、ボルト取付具、ボルトまたは取付部品をファイバー補強構造要素内に位置決めしてかつ固着する新規な技術がボルト取付具、ボルトまたは取付部品の位置決めのために高負荷ケーシングの使用を許容しかつボルト取付具、ボルトまたは取付部品をボルト取付具、ボルトまたは取付部品を支持する負荷支持ケーシングの特殊形成により作られた特定幾何学形状または形内における容易な位置決めを提供することである。
【課題を解決するための手段】
【００１１】
上述の目的、上述の特徴および上述の利点と本発明の以下の詳述から明らかにされる多数の他の目的、利点および特徴は、本発明の第１の形態によるものである。該第１の形態は、複数のボルト取付具、ボルトまたは取付部品を含むファイバー補強された構造要素であって別の構造要素に対する取り付けのための構造要素の製造方法において、
ｉ）上記ファイバー補強された構造要素と親和性を有するファイバー補強材料の細長のコアー要素であって、引き抜きにより作られ、上記ボルト取付具、ボルトまたは取付部品のひとつの装着または固定のための端部を備えるコアー要素を供給し、
ｉｉ）サブアセンブリーを製造するために上記ボルト取付具、ボルトまたは取付部品のひとつを上記コアー要素の上記端部上に装着し、
ｉｉｉ）引き抜き工程において、上記サブアセンブリーを引き抜き成形機を通して引き、上記サブアセンブリーの外周を補強ファイバーおよび樹脂で覆い、そして、該樹脂が該補強ファイバーと共に上記サブアセンブリーの外周を囲むケーシングを提供するように樹脂を加熱しかつ加硫することにより、上記ボルト取付具、ボルトまたは取付部品のひとつを上記コアー要素の上記端部に固着し、または、代わりに、上記サブアセンブリーを別の引き抜き工程で製造されたケーシングに対して接着することにより固着し、そして、
ｉｖ）上記コアー要素および上記ボルト取付具、上記ボルト、または上記取付部品および上記コアー要素、を含む、ボルト取付具アセンブリー、ボルトアセンブリー、または取付部品アセンブリーを供給するために、上記補強ファイバーおよび上記加硫された樹脂の上記ケーシング内で外周が囲まれた上記サブアセンブリーを加工し、
ｖ）複数の上記ボルト取付具、ボルトアセンブリーまたは取付部品アセンブリーを製造するために上記ステップｉ）−ｉｖ）を繰り返し、
ｖｉ）上記の最終的なファイバー補強された構造要素内に、上記複数のボルト取付具、ボルトまたは取付部品の所望の位置により、上記複数のサブアセンブリーを配列し、そして、
ｖｉｉ）上記複数のサブアセンブリーにより構成される上記複数のボルト取付具、ボルトまたは取付部品を含む上記ファイバー補強された構造要素を引き抜きで製造するステップを包含している方法により得られる。
【００１２】
本発明の基本的な教示によると、個々のボルト取付具、ボルトまたは取付部品は、ボルト取付具、ボルトまたは取付具アセンブリー内に予め位置決めされる。アセンブリーそれ自体はボルト取付具、ボルトまたは取付部品に対して正確に配置されたコアーで構成されておりかつ別の製造ステップ内でボルト取付具、ボルトまたは取付部品に対して引き抜き工程により固着される。強調されるべき点は、コアー要素およびボルト取付具、ボルトまたは取付部品相互間の固着はコアー要素とボルト取付具、ボルトまたは取付部品の間の連結を必要とせず、これはコアー要素とボルト取付具、ボルトまたは取付部品が引き抜き工程中に外周取り巻きケーシングに対して機械的に固着され、しかしながらコアー要素とボルト取付具、ボルトまたは取付部品の間の協働が最終構造内においてはボルト取付具、ボルトまたは取付部品の正確な位置決めと固着を提供するのである。以下に更に詳述されるように、ボルト取付具、ボルトまたは取付部品アセンブリーの製造のために引き抜き工程を使用すると、ボルト取付具、ボルトまたは取付部品アセンブリーが特定の軽量的な輪郭で製造され最終ファイバー補強構造要素内における個々のボルト取付具、ボルトまたは取付部品の意図した位置決めを促進しまたは保証する。ボルト取付具、ボルトまたは取付部品アセンブリーの製造は、また、個々のボルト取付具、ボルトまたは取付部品アセンブリー内のコアー要素に対するボルト取付具、ボルトまたは取付部品の固着のために使用される引き抜き工程に起因して個々のボルト取付具、ボルトまたは取付部品の必要な負荷支持能力を保証する。
【００１３】
個々のコアー要素は例えば鋳造、機械加工などによりファイバー補強構造要素の材料と親和性を有する材料から前もって製造可能であり、これはコアー要素のために使用される材料、およびボルト取付具およびボルトおよびコアー要素を包含しているサブアセンブリーの被覆のための引き抜き工程のための材料が、機械的、構造的かつ化学的にファイバー補強構造要素の材料と組み合わせ得ることを意味している。多くの用途のためには、上述のファイバー補強材料および樹脂材料が使用され、明らかな理由により、ボルト取付具、ボルトまたは取付部品アセンブリーは、ファイバー補強構造要素の残部の材料と親和性を有する材料から製造され得るが、改良された強度および負荷支持容量を呈する。代わりに、同じ材料がボルト取付具、ボルトまたは取付部品アセンブリーおよびファイバー補強構造要素の製造のために有利に使用され得る。
【００１４】
非プレキャストコアー要素が使用されたとすると、本発明による方法は、好ましくは、細長のコアー要素切断のステップを包含し、上記細長のコアー要素は、好ましくは、既述の引き抜き工程で作られた連続した細長のコアー要素ボデーから得られるものである。
【００１５】
ひとつのボルト取付具、ボルトまたは取付部品をコアー要素の一端部上に装着する技術は、コアー要素に凹部、孔またはボルト取付具、ボルトまたは取付部品受領のために形成された取付具のような突出部を形成することにより容易に達成され得る。本発明による方法の特定の有利な実施例によると、細長のコアー要素がコアー要素の両端部にボルト取付具、ボルトまたは取付部品の２個を受け入れるためのそれぞれの端部を備え、本発明による方法がステップｉｉ）およびｉｉｉ）に引き続き、ボルト取付具、ボルトまたは取付部品の２個をサブアセンブリーのそれぞれの端部に装着または固着し、そして、ステップｉｖ）内に補強ファイバーおよび加硫した樹脂でケーシング内で周囲を囲まれているサブアセンブリーをそれぞれがボルト取付具、ボルトまたは取付部品アセンブリーを構成する２個の半体に加工する工程を包含する。
【００１６】
本発明による方法の更に有利な実施例によると、コアー要素に対するボルト取付具、ボルトまたは取付部品の適正な位置決め、固着および方向付けは、コアー要素の端部を特殊輪郭に加工しかつボルト取付具、ボルトまたは取付部品の端凹部をコアー要素の端部の円錐形輪郭と符号しかつ一致する形状とすることにより得られ、これによりステップｉｉｉ）内の引き抜き工程の前および間にコアー要素に対するボルト取付具、ボルトまたは取付部品の正確な位置決めおよび保持が提供される。
【００１７】
本発明による方法または技術の更なる特定の有利な形態によると、コアー要素およびボルト取付具、ボルトまたは取付部品のアセンブリーを含むケーシングは引き抜き工程で特定輪郭に製造されることができ、これはケーシングが円形、楕円形、多角形、特に６角形または正方形断面形状または代わりに上述の断面形状の組み合わせのような特定断面形状に製造され得るからである。
【００１８】
代わりに、ケーシングの意図した幾何学的輪郭は別の加工ステップにより得ることができ、上記加工ステップ内ではケーシングは円形、楕円形、多角形、特に６角形または正方形断面形状または代わりに上述の断面形状の組み合わせのような特定断面または形状に加工される。
【００１９】
本発明の第１の形態による方法の第１実施例においては、ステップｉｖ）内で行われる加工は引き抜き工程から提供される材料をストリングを通して垂直に単にカットすることにより達成され、かつボルト取付具、ボルトまたは取付部品アセンブリーは引き続きアセンブリーのコアー要素に対して固着されたボルト取付具、ボルトまたは取付部品に対して反対側の端面を備え、この端面はボルト取付具、ボルトまたは取付部品アセンブリーの長手軸に対して直角に延びている。本発明の第１の形態による方法の目下の好ましい実施例によると、アセンブリーは、しかしながら、加工工程において提供され、ボルト取付具、ボルトまたは取付部品アセンブリーの長手軸に対して鋭角を形成する面を備え、それはアセンブリーをファイバー補強構造要素内に固着するためにコアー要素の接触する大きい面を提供するためであり、かつ更に非回転対称アセンブリーを提供し、このアセンブリーはファイバー補強構造要素内への固着のためには最良の形状である。
【００２０】
上述の目的、上述の特徴および上述の利点と本発明の以下の詳述から明らかにされる多数の他の目的、利点および特徴は、本発明の第２の形態によるものである。該第２の形態は、複数のボルト取付具、ボルトまたは取付部品を含むファイバー補強された構造要素であって別の構造要素に対する取り付けのための構造要素内で使用するためのボルト取付具、ボルトアセンブリーまたは取付部品アセンブリーの製造方法において、
ｉ）上記ファイバー補強された構造要素と親和性を有するファイバー補強材料の細長のコアー要素であって、引き抜きにより作られ、上記ボルト取付具、ボルトまたは取付部品のひとつの装着または固定のための端部を備えるコアー要素を供給し、
ｉｉ）サブアセンブリーを製造するために上記ボルト取付具、ボルトまたは取付部品のひとつを上記コアー要素の上記端部上に装着し、
ｉｉｉ）引き抜き工程において、上記サブアセンブリーを引き抜き成形機を通して引き、上記サブアセンブリーの外周を補強ファイバーおよび樹脂で覆い、そして、該樹脂が該補強ファイバーと共に上記サブアセンブリーの外周を囲むケーシングを提供するように樹脂を加熱しかつ加硫することにより、上記ボルト取付具、ボルトまたは取付部品のひとつを上記コアー要素の上記端部に固着し、または、代わりに、上記サブアセンブリーを別の引き抜き工程で製造されたケーシングに対して接着することにより固着し、そして、
ｉｖ）上記コアー要素および上記ボルト取付具、上記ボルト、または上記取付部品、を含む、ボルト取付具アセンブリー、ボルトアセンブリー、または取付部品アセンブリーを供給するために、上記補強ファイバーおよび上記加硫された樹脂の上記ケーシング内で外周が囲まれた上記サブアセンブリーを加工するステップを包含している方法である。
【００２１】
本発明の第２の形態による方法は、本発明の教示によると、有利には本発明の第１の形態による方法に関連して記述されかつ説明された何れの特徴をも包含している。
【００２２】
上述の目的、上述の特徴および上述の利点と本発明の以下の詳述から明らかにされる多数の他の目的、利点および特徴は、本発明の第３の形態によるものである。該第３の形態は、構造要素を別の構造要素に固着するための複数のボルト取付具、ボルトまたは取付部品を備えたファイバー補強構造要素により達成され、このファイバー補強構造要素は本発明の第１の形態により製造されかつ本発明の第２の形態による方法で製造された複数のボルト取付具、ボルトまたは取付部品アセンブリーを備えている。
【００２３】
上述の目的、上述の特徴および上述の利点と本発明の以下の詳述から明らかにされる多数の他の目的、利点および特徴は、本発明の第４の形態によるものである。該第４の形態は、本発明の第２の形態による方法で製造されたファイバー補強構造要素内での使用のためのボルト取付具、ボルトまたは取付部品アセンブリーにより得られる。
【００２４】
本発明は図面に関連して更に記述される。
【発明を実施するための最良の形態】
【００２５】
図１において、アセンブリー１０は本発明による方法で製造されかつ図５および図６に関連して記述されるように２個のアセンブリーに分離されることが意図されたものとして示されている。
【００２６】
ファイバー補強構造要素内での使用のためのボルトのボルト取付具を備えたアセンブリーの製造方法によると、コアー要素が最初に製造される。このコアー要素はプラスチックベース材料、木材または金属または複合材料を含む何れかの適切な材料から製造されることができ、これらの材料はファイバー補強構造要素と親和性を備え、これはコアー要素の材料が本発明の技術による全ての他の材料と同様に残りの材料と組み合わせ可能であることを意味しており、即ち、互いに化学的に反応することがなく、かつ機械的に組み合わせおよびリンク可能であり、これはこれらの材料が互いに一体構造体に結合されることができかつ好ましくは膨張率、および破断および剪断強度に関するような機械的強度に関する限り実質的に同じ機械的特徴を呈することを意味している。本発明による方法の目下の好ましい実施例によると、引き抜かれたコアーボデーは好ましくは図２内に図示されたように使用される。
【００２７】
図２内において、引き抜き成形機は全体として関連符号３０で表示されておりかつその出口から引き抜きロッド３２を射出し、このロッドは即ち、円形筒状断面構造のもので、ポリマー、ビニールエステルまたはフェノールまたはエポキシレジンのような樹脂から作られており、その中にガラスファイバー、カーボンファイバーまたはカーバルファイバーのような補強ファイバーが埋め込まれている。引き抜きロッドまたはボデー３２は個々の要素に切断され、そのひとつは関連符号１２で表示されており、上記切断は鋸３４として概略図示されたカッター手段による。ボデーまたはロッド１２の両端の円錐形端部は図２内に概略図示されているカッター３６のような加工器具の手段により製造される。カッター３６はコアーボデー１２の両端に関連符号２０で表示されている円錐形端部を製造する。
【００２８】
図１内に示されているアセンブリー１０の製造方法の更なるステップにおいて、ボルト取付具２２は図３内に図示されているようにコアー要素１２の両端に配置される。
【００２９】
コアー要素１２と同様に、ボルト取付具２２は好ましくは円形筒状断面構造であり、一端に円錐形凹部２０’を備え、この円錐形凹部はコアー要素１２の円錐形端部２０と符号するように構成されている。各ボルト取付具２２は更に貫通孔を備え、この貫通孔は円錐形凹部２０’と連通しかつ狭い中央筒状孔部分２５およびより広い孔部分２４を区画し、孔部分２４は外部と連通しかつ図３の左底部に図示されているようにねじ軸２８との協働が意図されている。ボルト取付具は異様に構成されることができ、例えばボルト取付具全体が一端から他端へ、例えば外端から内端へまたは内端から外端へ、テーパー付きの円錐形とされ得る。代わりに、ボルト取付具２２は外向き引き抜きフランジを備え得る。更に代わりに、ボルト取付具は異形の貫通孔を備え、その中でねじ孔部分が中間の狭い筒状孔部分を設けることなく円錐形凹部と連通させ得る。更に代わりに、ねじ孔が省略され、ボルト取付具が取付具としてボルトを構成する外側への引き抜きねじ軸を備え得る。
【００３０】
各ボルト取付具２２に協働する円錐形端部２０および円錐形凹部２０’を備えることにより、ボルト固定具２２としての自己センタリングおよび自己整列の特徴が得られ、これは円錐形端部２０と円錐形凹部２０’の間の相互作用により意図した整列方向が保持され易くなるためであり、円形筒状ボルト取付具２２がコアー要素１２の中央部の筒状連続部に構成される。
【００３１】
図３内に示されているコアーボデーおよび２個のボルト取付具２２を包含しているサブアセンブリーが、図４内に図示されているように、引き抜き装置４０内に導入され、引き抜き装置は受領セクション４６を包含し、その中へ上述のサブアセンブリーが連続ストリングを構成している複数のサブアセンブリーと共に引き抜き装置４０の受領セクション４６内へファイバー補強材料のウエブと共に導入され、上記ウエブは図４の左側に示されておりかつそれらのふたつは関連符号４２および４４で表示されている。受領セクション４６からファイバー補強材料により外周が取り囲まれた整列サブアセンブリーを含むストリング４８は樹脂アプリケーターおよび樹脂加熱および加硫装置５０内へ導入され、この装置５０はそこへ樹脂を供給するための樹脂リザーバー５２と連通している。装置５０の出口ダイは、関連符号５４で表示されておりかつ装置５０のダイ５４から放出される引き抜きストリング５６に特定形状を提供しており、このストリング５６は装置５０のダイ５４から引出ストリングを引くための引出装置５８内へ導入される。
【００３２】
引出装置５８から、ストリング５６はカッター６０へ放出され、カッターはストリング５６を図１内にも示されているアセンブリー１０を構成する別個のセクションに分割する。これはストリング５６のセクションまたはアセンブリー１０への切断が、端部をカバーしているボルト取付具２２付きのコアーボデー１２を包含しているサブアセンブリーが引き抜き装置４０の入口端へ入るのと同期されているからである。図１内に示されているアセンブリー１０が製造されるサブアセンブリーの別の製造工程においては、ボルト取付具２２およびコアー要素１２は好ましくは引き抜きにより製造されて上述のケーシング２６を構成している筒状ケーシングに対して接着により固着される。引き抜きにより製造されたケーシング２６に対して接着により固着するのとボルト取付具２２およびコアー要素１２を引き抜き工程によりケーシングに対して固着する技術とは技術的に均等方法を構成すると考えられる。
【００３３】
図１内には、コアー要素１２はボルト取付具２２と共に示されており、このボルト取付具は孔２５と連通しているねじ孔２４を開示しておりかつ更にコアー要素１２のテーパー付きまたは円錐形端部２０を開示している。
【００３４】
図１内には、図４に関連して記述されている引き抜き工程で製造されたアウターケーシングも開示されており、そのケーシングは関連符号２６で表示されている。図１は更にアセンブリー１０の構造を開示しており、その構造は凹入頂面１４、反対側の凸状または円形筒状底面１６および対向する並行平面１８を区画している。図１内に図示されている凸状／凹入構造は、図７および図１０に関連して後述されるように、アセンブリー１０から作られるボルト取付具アセンブリーの位置決めを許容し、これは凸状外面（円形筒状底面）１６またはひとつのボルト取付具アセンブリーを隣接したボルト取付具アセンブリーの凹入頂面１４内に並置しかつ部分的に受け入れられるように配置することにより達成される。
【００３５】
図１内に示されているアセンブリー１０から、２個のボルト取付具アセンブリーが図５内に図示されているように製造され、その製造はアセンブリー１０を関連符号６４により破線で表示した線に沿い２部品に切断することにより行われる。カッターは鋸６２により概略図示されている。２個の半体に切断されたアセンブリー１０は図６内に垂直断面で図示されており、分離部６４の線を開示しアセンブリー１０から製造された２個のボルト取付具アセンブリーの各々の対向斜面６６を提供している。アセンブリー１０の１／２を構成している各ボルト取付具アセンブリーは、コアー要素１２のテーパー付き切断部分および引き抜きケーシング２６によりコアー要素１２に固着されたボルト取付具２２を備えている。斜面６６を備えることにより変則形状のボルト取付具アセンブリーが製造され、最終ファイバー補強構造内におけるボルト取付具アセンブリーの固着能力を高めかつ更に中央コアー要素１２と最終ファイバー補強構造との間の主要接触面を提供する。
【００３６】
直線とは異なるひとつの方向に個々のボルト取付具アセンブリーを位置決めする能力は図７内に図示されている。そこでは３個の個々のボルト取付具アセンブリーが全体として関連符号７０で表示されている構造体に組み合わされていることが示されており、３個のボルト取付具アセンブリーについて、ひとつのボルト取付具アセンブリーの凹入頂面１４が全体として湾曲方向にある隣接ボルト取付具アセンブリーの凸状外面１６を受け入れている。図７内に示されている複合構造体を囲むファイバー補強構造は関連符号７２で表示されている。
【００３７】
図８においては、僅かに修正されたボルト取付具アセンブリーの構造が図示されており、円形の凹入頂面および凸状外面１４および１６が平面要素を有する凹入頂面および凸状外面により置き換えられている。凹入頂面１４’の平面要素構造がボルト取付具アセンブリーの凸状外面１６’の構造に対応する構造を備えていることにより、個々のボルト取付具アセンブリーは図８内に示されているような構造体に組み合わされ、その中で個々のボルト取付具アセンブリーの好適な直線状位置決めが、ボルト取付具アセンブリーの対応する凸状外面および凹入頂面の存在により確保されかつ保持される。図８内における４個のボルト取付具アセンブリーの全体としての組み合わせは関連符号７０’で表示されている。図８内に図示されている複合構造体から、ファイバー補強構造体要素は、更なる押し出し、引き抜きまたは手動または自動化されたファイバー補強製造工程で補強ファイバーおよび樹脂を取付具アセンブリーの結合体に供給しかつ最終製品の意図した形状により構造要素を形成することにより製造される。
【００３８】
最終製品は例えば図９内に図示されているように負荷支持キャリヤーアイビーム７６と関連して使用され、そこでは図８内に示されているボルト取付具アセンブリーのボルト取付具内に受け入れられているボルト軸２８はアイビーム７６に対して個々のボルト７４により固着されている。
【００３９】
図７内に示されている湾曲構造体は、代わりに、例えば図１０内に図示されているような平面プレート要素７８への固着のために使用され得る。
【００４０】
上述のように、図１−６に関連して上述されたボルト取付具２２は、引き抜きケーシング２６内におけるボルト取付具の固着を改善するために有利には円錐形または楕円形に形成され得る。図１１ａ−１１ｃ内には引き抜きケーシング内におけるボルト取付具の固着強度を増す別の技術が図示されている。概ね明細書を通して、以前に記述された部品または要素と同様な部品または要素は以前に表示されたのと同じ関連符号で表示されるが、以前に記述された部品または要素と形状的に異なる部品または要素であって、しかしながら以前に記述された部品または要素と同じ目的を果たすものは、同じ関連符号で表示されるが幾何学的に異なることを確認するためにマークが付されている。
【００４１】
図１１ａにおいて、ボルト取付具２２’は図３内に示されている上述のボルト取付具２２と相違しており、何故ならばボルト取付具２２’の外面はラフでありまたはざらざらしていて平坦でない外面を提供しており、これが引き抜きケーシング２６’に対するボルト取付具２２’の固着を改善している。図１１ａにおいてはボルト取付具２２’のラフまたはざらざらした外面は実際のラフまたはざらざらした面と比べて明確化のために或る程度誇張されている。
【００４２】
図１１ｂにおいては、引き抜きケーシング２６”に対するボルト取付具２２’の固着力増強のための異なる技術が示されており、ボルト取付具２２”が左および右向きの複数の外ねじを形成する外側隆起を備え、外側引き抜きケーシング２６”の重合体材料内への隆起のソリッドな埋め込み機能を果たしている。
【００４３】
図１１ｃにおいては、ボルト取付具２２ＩＩＩおよび引き抜きケーシング２６ＩＩＩの間の接着を改良する更なる代わりの技術が示されている。図１１ｃでは、ボルト取付具２２ＩＩＩの外端が外側の浅いねじ２３ＩＩＩを備え、その中に、ボルト取付具２２ＩＩＩとコアーボデー１２ＩＩＩが図４内に示されている引き抜き装置のような引き抜き装置を通して動かされる前に補強ファイバーおよび樹脂が受領される。
【００４４】
図４に示されているストリング５６のような本発明によるアセンブリーが切断されるストリングの切断を容易化するために、図１２ａ内に示されているボデー８０のような間隔ボデーを使用し得る。ボデー８０は中央に円形筒状デイスク８２を包含し、その両側から２個の同芯に延びるピン８４が突出している。ボデー８０は、一般に図１２ｂ内に示されている２つのボルト取付具２２ＩＶのようなボルト取付具と組み合わされて使用され、隣接したボルト取付具２２ＩＶの端部の間を隔てかつ図１２ｂ内には示されていない外側引き抜きケーシングおよび間隔ボデー８０を通してのカッターの容易な移動を許容しており、間隔ボデーは好ましくはＰＥ、ＰＰのようなプレキャストプラスチックボデーまたは同様なプラスチック材料ボデーである。
【００４５】
図１４ａにはナットと組み合わされたカーボン補強取付具を使用する技術が示されている。図１４ａにおいて、ナット２２Ｖはコアーボデー１２Ｖの外端で引き抜きケーシング２６Ｖ内に囲まれている。ナット２２Ｖと合わせてカーボンファイバー補強筒状ブッシュまたは取付具２７が引き抜きケーシング２６Ｖ内に備えられてナット２２Ｖがアセンブリー１０Ｖの外端から離れた位置を保ちかつ同時にカーボンファイバー補強ブッシュ２７を備えることにより剛直なアセンブリーの提供を許容している。
【００４６】
図１４ｂにおいては、コアーボデーに対してボルト取付具をセンタリングする異なる技術が図示されており、コアーボデー１２ＶＩが同軸配置のアウターピン２０ＶＩを備えておりその上にボルト取付具またはナット２２ＶＩが装着されている。
【００４７】
図１３には、引き抜き装置４０ＩＶが示されており、これは基本的には図４に関連して上述された引き抜き装置４０に対応しているが、上述の装置と異なり、受領セクション４６では、コアーボデー１２ＩＶおよびボルト取付具２２ＩＶのストリングが更に間隔ボデー８２を備え、間隔ボデー８２の手段により離れた位置に配置されたボルト取付具２２ＩＶを備えたストリング４８ＩＶが製造できるようにしている。
【００４８】
加硫装置５０から、ストリング５６ＩＶは４角形断面またはアセンブリー１０の上述構造とは異なる構造のものとして供給される。
【００４９】
図１２ｂに関連して上述したボルト取付具２２ＩＶの外端位置の保持のための間隔ボデー８０を提供する技術は、ボルト取付具内に受け入れられるボルトピンの外端を間隔を隔てた位置関係に保持するためのものと補正され得る。
【００５０】
図１５において、プレキャストプラスチック材料ボデー８０ＶＩＩが円形筒状構造のものとして提供されており、これはボルト取付具２２ＶＩＩの外径に対応する外径を備え、かつボルトピン２８ＶＩＩの外端部を受け入れるためのねじ孔を備えている。図４または代わりに図１３内に示されている装置のような引き抜き装置での引き抜き工程終了の後に、引き抜きストリングは例えば図４および図１３内に図示されているようなカッター６０の手段により切断され、そのときカッターは間隔ボデー８０ＶＩＩ内に受け入れられている２個のボルトピン２８ＶＩＩの外端間のスペース内に動かされる。
【００５１】
本発明による一体引き抜き技術は、また、本発明によるアセンブリー内に一体的に引き抜かれた取付具を例えば図１６ａおよび１６ｂ内に図示されているような引き抜きケーシング内の内ねじ形成のための形成器としての使用を許容している。
【００５２】
図１６ａにおいて、本発明によるアセンブリー１０ＩＸの端部は引き抜きケーシング２６ＩＸを含むものとして示されており、その中にコアーボデー１２ＩＸが形成ボデー２２ＩＸと共に囲まれており、この形成ボデーはアセンブリー１０ＩＸの外端から突出している軸２５ＩＸを構成しかつ引き抜きケーシング２６ＩＸ内に埋め込まれた粗いねじ２４ＩＸを備えている。形成取付具２２ＩＸのねじ２４ＩＸの外面は、ＰＴＦＥ被覆、パウダー被覆またはグリース状被覆面のようなスリップ被覆を備えていて、形成取付具２２ＩＸが図１６ｂ内に示されているようにアセンブリー１０ＩＸの外端から取り除かれることを許容し、形成取付具２２ＩＸがアセンブリー１０ＩＸの残部から取り外されて、当初形成取付具２２ＩＸの外ねじ２４ＩＸにより形成された引き抜きケーシング２６ＩＸの内ねじを露出する。
【００５３】
引き抜きケーシング２６ＩＸは、図１７内に図示されているローラーベアリング６０のようなローラーベアリングの部分の支持に使用され、ローラーベアリング６０は、アセンブリー１０ＩＸの引き抜きケーシング２６ＩＸ内に、例えば図１６ａおよび１６ｂ内に示されているねじ手段により受領されるか、または、代わりに、引き抜きケーシング２６ＩＸの内壁に対して形成取付具２２ＩＸにより当初形成されたような引き抜きケーシング２６ＩＸの内ねじのキャビテイーに充填した接着剤により固着される。ローラーベアリング６０は、既述のようにアセンブリー１０ＩＸの外端部に固着されているローラーベアリング部分６２を包含しかつ軸６４を通してローラーリール６６に接続され、このローラーリールは、例えばスタンドまたは同様な支持部材上に支持されている。アセンブリー１０ＩＸの反対側端部には同様なローラーベアリング６０が備えられている。図１７内に示されている構造は例えば製造プラントのために使用されることができ、そこではローラーバンドが使用されかつそのローラーバンドは一方においては攻撃的な流体またはガスに対向配置され、他方においてはひとつの位置から別の位置へ容易に動かされる軽量構造を提供する。
【００５４】
上述の一体的引き抜き製造技術は、また、図１８内に示されるＨ形構造要素１０Ｘのような手の混んだ構造体要素の製造を許容し、この要素は、図４および図１３に関連して上述された装置と同様な引き抜き装置の加硫装置５０から放出される。図１８内に示されているＨ形アセンブリーにおいては２個の垂直バーが備えられており、各バーは、ボルト取付具、ボルトまたは取付具を一体に備えてＨ形要素が別のビルデイング構造体に対して固着され得る。アセンブリー１０Ｘの各垂直バーは、関連符号１１Ｘで表示されかつＨ構造内の２個の垂直バーを連結している水平ウエブは関連符号１３Ｘで表示されている。
【００５５】
取付具、ボルト固定具または両端部に配置されたボルトであって本発明の技術による負荷搬送要素として使用される要素またはアセンブリーを可能にするボルトを有する負荷搬送アセンブリーを提供する技術は更にストレインゲージまたは同様な衝撃検出センサーのようなセンサーを本発明によるアセンブリー内に一体化することにより要素の負荷搬送容量計測技術と組み合わされ得る。図１９においては、アセンブリー１０ＸＩは、円形筒状の引き抜きケーシング２６ＸＩの両端から突出した２個のねじピン２８ＸＩを有するものとして示されている。引き抜きケーシング２６ＸＩの中にはねじピン２８ＸＩを受けるための２個のブッシュ２２ＸＩが収容されている。負荷検出センサー９０はストレインゲージまたは同様な衝撃検出要素を含むことができかつ図２０内に図示されているように具体化され得る。負荷検出センサー９０は２個のピン９２によりブッシュ２２ＸＩに接続されており、ブッシュ２２ＸＩからの負荷が負荷検出ユニット９０へ伝達される。負荷伝達ピン９２は、図１９内に破線で指示されかつ関連符号９４で表示されている筒状ケーシング内にそれぞれ収容されている。
【００５６】
負荷検出センサーユニットは、図２０内に図示されているように具体化されることができ、外部励起源からの誘導により電気的パワーを受領するための誘導コイル１００を備え、この誘導コイルは、電気的パワーを電子回路ブロック１０４および１０６へ供給するためにパワー供給源１０２へ接続されている。ブロック１０４は、ストレインゲージ１０８のようなセンサー要素からの入力信号を受領する入力アンプステージを構成しかつその出力信号を伝達ステージ１０６へ放出し、ステージ１０６は、アンテナ１１０の手段により離れた位置のレシーバーへラジオ波信号を発信する。図２０に関連して上述された負荷検出センサーユニット９０内に備えられている回路は、非線形増幅ステージ、ａ／ｄ変換ステージなどのような従来型の信号形成または信号変換要素の何れかを含み得ることが理解されるであろう。遠隔データロッキングユニットを提供する技術は当業界で良く知られておりかつ負荷検出センサー要素それ自体の電子回路の詳細な記述はなされていないが、それは負荷検出センサーユニット９０自体の具体的構成が本発明の一部ではないからである。
【００５７】
図２１においては、アセンブリー１０ＸＩを保持している負荷検出センサーユニットの異なる用途が図示されている。図２１においてアセンブリー１０ＸＩのひとつの用途は、橋の２部分を相互に連結するための構造要素としてのものであり、別の用途は、橋の保持構造の支持ワイヤーのための負荷保持要素としてのアセンブリー１０ＸＩの使用を包含している。図２１において負荷検出センサーユニット９０からのデータを受信するための受信ステーションが受信ステージ１１４に接続された受信アンテナ１１２を包含しているものとして図示されており、上記受信ステージ１１４はアナログまたは代わりのデジタル出力信号を関連符号１１６で表示されたＰＣにより構成されている計測装置へ供給する。
【００５８】
図２２においては、図２２のように複数のアセンブリー１０ＸＩの使用が図示されており、全体として５個のアセンブリー１０ＸＩがワイヤー１２２からの橋１２０の懸架のために使用されている。図２２では、データの記録は各アセンブリー１０ＸＩからデータ記録ＰＣ１１６へのハードワイヤー接続として図示されており、ＰＣ１１６は全体として５個の並行インプットを備えており、これは図２１で図示されているワイヤレス伝達技術が近接検出技術の使用により容易に半ハードワイヤー接続へ修正され得ることを考慮されたものであり、その場合は負荷検出センサーユニットからのデータまたは出力信号を受領するための各アセンブリー１０ＸＩに近接配置された受信ユニットの使用により、かつ同時にアセンブリー１０ＸＩ内に含まれている各ユニット９０の誘導コイル１００に励起電流を供給することによりユニット９０を励起させる。
【００５９】
本発明によるアセンブリーの高負荷支持能力はまた図２３および２４内に図示されている高電圧絶縁器のような代わりの用途を許容する。図２３において、図１９に関連して上述されたアセンブリーが、負荷検出センサーユニット９０の省略により、また高電圧絶縁器コアーボデー１２ＸＩＩの導入により、修正され、上記コアーボデー１２ＸＩＩは内部にＳＦ６のような高絶縁ガスが含まれているシールされた中空ケーシングにより構成されている。絶縁コアーボデー１２ＸＩＩは図１−６に関連して説明された上述のコアーボデー１２と同じ目的を果たす。図２３において、アセンブリー１０ＸＩＩは、更に、絶縁器コアーボデー１２ＸＩＩを囲んでいる外側引き抜きケーシング２６ＸＩＩおよびブッシュ２２ＸＩＩを囲みかつ収容している更に２個の絶縁ブッシュ９４ＸＩＩを包含し、上記ブッシュ２２ＸＩＩ内にはねじピン１８ＸＩＩが受領されかつ固着されている。図２３においては、３個のベル形アウター絶縁要素１１８ＸＩＩが更に図示されており、これらはそれ自体当業界でよく知られているように、水または湿気が引き抜きケーシング２６ＸＩＩの外面上での短絡通路形成を阻止する目的を果たしている。
【００６０】
図２４においては、図２３内に示されている高電圧絶縁アセンブリー１０ＸＩＩの意図された用途が図示されており、高電圧絶縁アセンブリー１０ＸＩＩは高電圧ワイヤー１２６の支持のためにビーム１２４から懸架され、高電圧ワイヤー１２６はクロス形取付具１２８によりその中に支持されており、上記取付具１２８はアセンブリー１０ＸＩＩのねじピン１８ＸＩＩのひとつの外端部に固着されている。
【００６１】
この明細書において、引き抜きなる用語は、コアー要素およびサブアセンブリーの提供および製造の技術をカバーするものとして使用されている。しかしながら、引き抜きなる用語は、引き抜き成形、引き抜き巻きなどとして知られている技術を含みファイバー補強製品製造のための如何なる組み合わせ技術をもカバーするものと広く解釈されるべきである。その結果として、コアー要素およびサブアセンブリーのような、要素の連続した、半連続のまたは中間製造を包含している上記用語または均等技術によりカバーされた如何なる技術もこの明細書内で記述されている引き抜き技術と均等物と理解されるべきである。
【００６２】
本発明は特殊な、目下の好ましい実施例に関連して記述されてきたが、多数の修正および補正は当業者に対して明らかでありかつそのような修正および補正は本発明の一部であり上述の実施例に限定されるものではないと考えられるべきである。むしろ、発明は、添付の請求の範囲内のものと解釈されるべきである。
【００６３】
添付の請求の範囲内に限定されているような保護範囲は、図１−６内に示されているアセンブリー１０の幾何学的輪郭自体、即ち‘ヒマラヤ杉厚板’要素の幾何学的外形をカバーするものではないと理解されるべきであるが、図８内に示されている構造を構成しているアセンブリーのような特殊輪郭外面を有する異形アセンブリーは、添付の請求の範囲で限定された保護範囲の一部であると考えられる。
【図面の簡単な説明】
【００６４】
【図１】アセンブリーの第１実施例の部分断面、斜視略図で、これから２個のボルト取付具、ボルトまたは取付部品アセンブリーが製造される。
【図２】図１内に示されているアセンブリー製造の第１ステップを図示している斜視略図で、引き抜かれたボデーの複数のコアー要素への加工工程を含んでいる。
【図３】図１内に示されているアセンブリーの製造方法の第２ステップを図示している斜視略図で、図２内に示されているステップで製造されたコアー要素の両端部へのボルト取付具の装着工程を含んでいる。
【図４】図１内に示されているアセンブリーの製造方法の第３ステップを図示している斜視略図で、ボデーを連続的に引き抜く工程を備え、その工程から図１内に示されているアセンブリーが図４の右端部に図示されているように切断される。
【図５】図１および図４の右端部に示されているアセンブリーを２個のボルト取付具アセンブリーに切断するステップを図示している略図である。
【図６】図１内に示されているアセンブリーおよび図５内に示されているようなアセンブリーから製造されたボルト取付具アセンブリーを図示している垂直断面図である。
【図７】図５および図６内に示されているボルト取付具アセンブリーの意図的な用途を図示している略図で、主たるファイバー補強構造体の製造のためのものであり、その構造体は風車要素、橋部分、ビルデイング要素のようなものであり、ボルト取付具は円のアーチに沿って配置されている。
【図８】図７と同様な斜視略図でファイバー補強要素製造のために使用されるボルト取付具アセンブリーの僅かに修正された実施例を図示しており、その中でボルト取付具は直線状通路に沿い配置されている。
【図９】図８内に示されているアセンブリーから製造された構造要素部分の斜視略図でボルトおよびナットの手段によりアイビームに対してファイバー補強構造体要素の取り付けを図示している。
【図１０】図７内に示されているアセンブリーから製造された構造要素部分の取り付けを図示している斜視略図で円のアーチに沿って配置されたボルト取付具を備えている。
【図１１ａ】引き抜き工程におけるボルト取付具の固着を改良する３個の実施例のひとつを図示している部分断面斜視略図である。
【図１１ｂ】引き抜き工程におけるボルト取付具の固着を改良する３個の実施例のひとつを図示している部分断面斜視略図である。
【図１１ｃ】引き抜き工程におけるボルト取付具の固着を改良する３個の実施例のひとつを図示している部分断面斜視略図である。
【図１２ａ】間隔要素を図示している斜視略図である。
【図１２ｂ】間隔要素およびその間隔要素の引き抜き工程における用途を図示している斜視略図である。
【図１３】図４と同様な全体斜視略図で４角断面形状を有する目下の好ましいアセンブリーの製造方法を図示している。
【図１４ａ】引き抜きエンドケーシング内に固定されたボルト取付具を図示している部分断面斜視略図である。
【図１４ｂ】引き抜きエンドケーシング内に固定された別構造のボルト取付具を図示している部分断面斜視略図である。
【図１５】ひとつのアセンブリーの隣接した２部分の部分断面斜視略図で、この両部分から突出ボルトピンを有する２個のアセンブリーが製造される。
【図１６ａ】本発明によるアセンブリーの更なる実施例の図１５と同様な部分断面斜視略図で、この実施例では取付具が引き抜きケーシング内に埋め込まれて引き抜きケーシング内に内ねじが作られる。
【図１６ｂ】本発明によるアセンブリーの更なる実施例の図１５と同様な部分断面斜視略図で、この実施例では取付具が引き抜きケーシング内に埋め込まれて引き抜きケーシング内に内ねじが作られる。
【図１７】ローラーベルトのローラーとして使用される本発明によるアセンブリーの更なる用途の部分断面斜視略図である。
【図１８】図１３内に図示されたような方法により製造された異様構造アセンブリーの斜視略図でありかつＨビーム形構造を備えている。
【図１９】負荷センサーとしての使用のために本発明の技術による負荷支承アセンブリーを製造する技術を図示している斜視略図である。
【図２０】図１９内に示されているアセンブリーの負荷センサー部分の電子回路図である。
【図２１】図１９内に示されているアセンブリーの例えば橋内の負荷支承センサーとしての使用を図示している略図および線図である。
【図２２】図１９内に図示されている負荷保持アセンブリーの橋内における異なる用途を図示している略図で、ＰＣベースの計測ステーションに対して並行接続を包含している。
【図２３】高電圧ケーブルのための絶縁器として構成されている本発明によるアセンブリーの更なる実施例の部分断面斜視略図である。
【図２４】図２３内で示されている絶縁器の用途を図示している斜視略図である。
【図１】
0004515765.tif 000002
【図２】
0004515765.tif 000003
【図３】
0004515765.tif 000004
【図４】
0004515765.tif 000005
【図５】
0004515765.tif 000006
【図６】
0004515765.tif 000007
【図７】
0004515765.tif 000008
【図８】
0004515765.tif 000009
【図９】
0004515765.tif 000010
【図１０】
0004515765.tif 000011
【図１１ａ】
0004515765.tif 000012
【図１１ｂ】
0004515765.tif 000013
【図１１ｃ】
0004515765.tif 000014
【図１２ａ】
0004515765.tif 000015
【図１２ｂ】
0004515765.tif 000016
【図１３】
0004515765.tif 000017
【図１４ａ】
0004515765.tif 000018
【図１４ｂ】
0004515765.tif 000019
【図１５】
0004515765.tif 000020
【図１６ａ】
0004515765.tif 000021
【図１６ｂ】
0004515765.tif 000022
【図１７】
0004515765.tif 000023
【図１８】
0004515765.tif 000024
【図１９】
0004515765.tif 000025
【図２０】
0004515765.tif 000026
【図２１】
0004515765.tif 000027
【図２２】
0004515765.tif 000028
【図２３】
0004515765.tif 000029
【図２４】
0004515765.tif 000030